(57)【要約】【課題】１個のピックアップユニットで２枚以上の光ディスクに同時にアクセスできる光ディスク装置及びその動作方法を提供する。【解決手段】光ディスク装置は、複数の光ディスクを回転する回転モジュールと、少なくとも第一ホールドプレートと第二ホールドプレートを含んだ、光ディスクをロードするための複数のホールドプレートと、第一ホールドプレートと第二ホールドプレートとの間の直線に沿って両者の間に設けられたスレッド案内棒と、光ディスクにアクセスする光学ピックアップユニット（ＯＰＵ）と、スレッド案内棒に移動可能に設けられ、ＯＰＵをロードしてスレッド案内棒に沿って駆動し、ホールドプレートに載せられた各光ディスクにアクセスするスレッドモーターとを含む。【選択図】図７
2009004070.tif 000002
【特許請求の範囲】
【請求項１】
光ディスク装置であって、
複数の光ディスクを回転する回転モジュールと、
少なくとも第一ホールドプレートと第二ホールドプレートを含んだ、光ディスクをロードするための複数のホールドプレートと、
第一ホールドプレートと第二ホールドプレートとの間の直線に沿って両者の間に設けられたスレッド案内棒と、
光ディスクにアクセスする光学ピックアップユニット（ＯＰＵ）と、
スレッド案内棒に移動可能に設けられ、ＯＰＵをロードしてスレッド案内棒に沿って駆動し、ホールドプレートに載せられた各光ディスクにアクセスするスレッドモーターとを含むことを特徴とする光ディスク装置。
【請求項２】
前記回転モジュールは更に、
第一ホールドプレートに載せられた第一光ディスクを回転する第一スピンドルモーターと、
第二ホールドプレートに載せられた第二光ディスクを回転する第二スピンドルモーターとを含むことを特徴とする請求項１に記載の光ディスク装置。
【請求項３】
前記光ディスク装置は更に、
第一スピンドルモーターと第二スピンドルモーターに結合され、スレッドモーターでＯＰＵを第一光ディスクから第二光ディスクへ移動する過程において、ＤＭＯ（ドライバーモーター出力）ホールド動作または開ループＤＡＣ動作を実行して第一スピンドルモーターで第一光ディスクを回転するサーボコントローラを含むことを特徴とする請求項２に記載の光ディスク装置。
【請求項４】
前記回転モジュールは更に、
第一伝動機構と、
第二伝動機構と、
第一伝動機構と第二伝動機構に結合され、第一光ディスクと第二光ディスクを回転するスピンドルモーターとを含むことを特徴とする請求項１に記載の光ディスク装置。
【請求項５】
前記光ディスク装置は更に、スピンドルモーターに結合され、スレッドモーターでＯＰＵを第一光ディスクから第二光ディスクへ移動する過程において、ＤＭＯホールド動作または開ループＤＡＣ動作を実行してスピンドルモーターで第一光ディスクを回転するサーボコントローラを含むことを特徴とする請求項４に記載の光ディスク装置。
【請求項６】
光ディスク装置を操作する方法であって、
第一光ディスクを起動し、第一光ディスクの第一インターフェイスとサーボ関係パラメータをバッファにリストアする段階と、
第一光ディスクに対してＤＭＯホールド動作または開ループＤＡＣ動作を実行する段階と、
第二光ディスクを起動する段階と、
第二光ディスクの第二インターフェイスとサーボ関係パラメータをバッファにリストアする段階と、
第二スピンドルドライバーに対してＤＭＯホールド動作を実行する段階とを含むことを特徴とする光ディスク装置の操作方法。
【請求項７】
光ディスク装置を操作する方法であって、
第二光ディスクにアクセスするときに第一光ディスクにアクセスするためのインターフェイス指令を受信する段階と、
第二光ディスクに対してＤＭＯホールド動作または開ループＤＡＣ動作を実行する段階と、
第一光ディスクへのアクセスに切り替える段階と、
バッファから第一光ディスクの第一インターフェイスとサーボ関係パラメータをリロードし、第一光ディスクにアクセスする段階とを含むことを特徴とする光ディスク装置の操作方法。
【発明の詳細な説明】
【技術分野】
【０００１】
本発明は光ディスク装置とその動作方法に関し、特に１個のピックアップユニットで２枚以上の光ディスクに同時にアクセスできる光ディスク装置及びその動作方法に関する。
【背景技術】
【０００２】
デジタルビデオレコーダー（ＤＶＲ）は広く普及している電子製品である。ＤＶＲは主として２種類があり、一つはマルチメディアデータを記録・再生できる録画型ＤＶＲであり、もう一つはマルチメディアデータを随時録画できるＨＤＤ（ハードディスクドライブ）を内蔵した録画型ＤＶＲである。前者は光学ピックアップユニット、ホールドプレート、トレイ、スピンドル、スレッドを含む。このような構成では１枚の光ディスクのみ積載可能であって、１回に１枚のディスクしか記録・再生できないので、マルチメディアデータを同時に記録・再生することを望むユーザーにとって不便である。
【０００３】
第二種類のＤＶＲは内蔵のＨＤＤ以外、基本的には第一種類と同じ構成を有する。第二種類のＤＶＲでマルチメディアデータを再生するときは内蔵のＨＤＤでマルチメディアデータを同時に提供し、マルチメディアデータを記録するときは内蔵のＨＤＤでマルチメディアデータを同時に記録する。第二種類のＤＶＲは内蔵のＨＤＤでデータを同時に記録・再生することができるが、このような機能を実現するためのコストが高い。のみならず、ＤＶＲの制御はユーザーインターフェイス（ＵＩ）にのみ頼っているため、一部のユーザーにとって不便である。
【特許文献１】日本公開第６１−２３６０６４号明細書
【発明の開示】
【発明が解決しようとする課題】
【０００４】
本発明は上記問題を解決するため、１個のピックアップユニットで２枚以上の光ディスクに同時にアクセスできる光ディスク装置及びその動作方法を提供することを課題とする。
【課題を解決するための手段】
【０００５】
本発明は光ディスク装置を提供する。該光ディスク装置は、複数の光ディスクを回転する回転モジュールと、少なくとも第一ホールドプレートと第二ホールドプレートを含んだ、光ディスクをロードするための複数のホールドプレートと、第一ホールドプレートと第二ホールドプレートとの間の直線に沿って設けられたスレッド案内棒と、光ディスクにアクセスする光学ピックアップユニット（ＯＰＵ）と、スレッド案内棒に移動可能に設けられ、ＯＰＵをロードしてスレッド案内棒に沿って駆動し、ホールドプレートに載せられた各光ディスクにアクセスするスレッドモーターとを含む。
【０００６】
本発明は更に、光ディスク装置を操作する方法を提供する。該方法は、第一光ディスクを起動し、第一光ディスクの第一インターフェイスとサーボ関係パラメータをバッファにリストアする段階と、第一光ディスクに対してＤＭＯ（ドライバーモーター出力）ホールド動作または開ループＤＡＣ動作を実行する段階と、第二光ディスクを起動する段階と、第二光ディスクの第二インターフェイスとサーボ関係パラメータをバッファにリストアする段階と、第二スピンドルドライバーに対してＤＭＯホールド動作を実行する段階とを含む。
【０００７】
本発明は更に、光ディスク装置を操作する方法を提供する。該方法は、第二光ディスクにアクセスするときに第一光ディスクにアクセスするためのインターフェイス指令を受信する段階と、第二光ディスクに対してＤＭＯホールド動作または開ループＤＡＣ動作を実行する段階と、第一光ディスクへのアクセスに切り替える段階と、バッファから第一光ディスクの第一インターフェイスとサーボ関係パラメータをリロードし、第一光ディスクにアクセスする段階とを含む。
【発明の効果】
【０００８】
本発明による光ディスク装置は１個のピックアップユニットで２枚以上の光ディスクに同時にアクセスすることができる。
【発明を実施するための最良の形態】
【０００９】
かかる装置及び方法の特徴を詳述するために、具体的な実施例を挙げ、図を参照して以下に説明する。
【００１０】
本明細書及び特許請求の範囲で特定の装置を指す用語について、当業者に周知のとおり、メーカーによって別の用語で同一の装置を参照することが可能である。そのため、本明細書及び特許請求の範囲は名称ではなく機能に基づき構成要素を区別する。なお、本明細書及び特許請求の範囲に用いる「含む」という文言は限定的に捉えるべきでなく、「含むがそれに限らない」と解すべきである。また、「結合」という用語は直接または間接の電気的接続を指す。したがって、第一装置と第二装置が結合されているということは、両者が直接に電気的に接続されているか、または他装置を介して電気的に接続されていることを意味する。
【実施例１】
【００１１】
図１を参照する。図１は本発明の実施例１による光ディスク装置１００を表す説明図である。光ディスク装置１００は、第一スピンドルモーター１０１と第二スピンドルモーター１０２を有する回転モジュール１０ａと、第一ホールドプレート１０８と、第二ホールドプレート１１０と、スレッド案内棒１１２と、光学ピックアップユニット（ＯＰＵ）１１４と、スレッドモーター１１６と、トレイモーター１１８１とを含む。第一スピンドルモーター１０１と第二スピンドルモーター１０２はそれらの制御どおりに第一光ディスク１２２と第二光ディスク１２４を回転する。第一ホールドプレート１０８と第二ホールドプレート１１０は第一光ディスク１２２と第二光ディスク１２４を積載する。スレッド案内棒１１２は第一ホールドプレート１０８と第二ホールドプレート１１０との間の直線に沿って両者の間に設けられる。ＯＰＵ１１４は第一光ディスク１２２と第二光ディスク１２４に選択的にアクセスする。スレッドモーター１１６はスレッド案内棒１１２に移動可能に設けられ、ＯＰＵ１１４をロードしてスレッド案内棒１１２に沿って駆動し、ホールドプレート１０８、１１０に載せられた第一光ディスク１２２と第二光ディスク１２４にアクセスする。トレイモーター１１８１はトレイ１２０に結合され、トレイ１２０を移動して第一光ディスク１２２と第二光ディスク１２４を光ディスク装置１００にロードするか、または第一光ディスク１２２と第二光ディスク１２４を光ディスク装置１００からイジェクトする。図に示すように、ホールドプレート１０８、１１０はトレイ１２０の上に置かれている。
【００１２】
本発明による光ディスク装置１００では、第一スピンドルモーター１０１と第二スピンドルモーター１０２はそれぞれ第一スピンドルドライバー１２６と第二スピンドルドライバー１２８により駆動され、トレイモーター１１８１はトレイドライバー１１８により駆動される。スレッドモーター１１６はスレッド案内棒の長さＬ１方向に沿ってＯＰＵ１１４を移動し、第一光ディスク１２２（例えばＤＶＤ）と第二ディスク１２４（例えばＤＶＤ）の全領域にアクセスする。スレッドモーター１１６はスレッドドライバー１３０により駆動される。図１に示すように、第一スピンドルドライバー１２６と、第二スピンドルドライバー１２８と、トレイドライバー１１８と、スレッドドライバー１３０はサーボコントローラ１４０により制御される。サーボコントローラ１４０は第一スピンドルドライバー１２６と第二スピンドルドライバー１２８に結合され、スレッドモーター１１６でＯＰＵ１１４を第一光ディスク１２２から第二光ディスク１２４に移動する前に、第一光ディスク１２２を回転する第一スピンドルモーター１０１に対してＤＭＯ（ドライバーモーター出力）ホールド動作または開ループＤＡＣ動作を実行し、またはスレッドモーター１１６でＯＰＵ１１４を第二光ディスク１２４から第一光ディスク１２２に移動する前に、第二光ディスク１２４を回転する第二スピンドルモーター１０２に対してＤＭＯホールド動作または開ループＤＡＣ動作を実行する。サーボコントローラ１４０はドライバー読み出し／書き込み制御論理１４０ａ、スピンドル制御論理１４０ｂ、スピンドルコントローラ１４０ｃ、スレッド制御論理１４０ｄ、及びスレッド／アクチュエータコントローラ１４０ｅを含む。なお、サーボコントローラ１４０はインターフェイス１４０ｆに結合され、コンピュータシステムから制御信号ＳＣを受信する。ドライバー読み出し／書き込み制御論理１４０ａは制御信号ＳＣを受信して、第一光ディスク１２２と第二光ディスク１２４の読み出し／書き込み動作を定める。スピンドル制御論理１４０ｂはドライバー読み出し／書き込み制御論理１４０ａに結合され、第一スピンドルモーター１０１と第二スピンドルモーター１０２のいずれかを制御するようにスピンドルコントローラ１４０ｃに指示する。一方、スレッド制御論理１４０ｄもドライバー読み出し／書き込み制御論理１４０ａに結合され、スレッドモーター１１６を制御するようにスレッド／アクチュエータコントローラ１４０ｅに指示する。
【００１３】
注意すべきは、入力データはＤＡ、ＤＢの２種類に分けられ、第一種類のデータＤＡは第一光ディスク１２２と第二光ディスク１２４に書き込む前に符号化する必要があり、第二種類のデータＤＢはその必要がない。したがって、図１を再び参照する。第一種類のデータＤＡがエンコーダ１５０ａと変調器１５０ｂで符号化されるのに対して、第二種類のデータＤＢは第一バッファ１５０ｃに直接入力される。その後、第一種類のデータＤＡと第二種類のデータＤＢを書き込み方式コントローラ１５０ｄとレーザー電力コントローラ１５０ｅで第一光ディスク１２２と第二光ディスク１２４に書き込む。注意すべきは、エンコーダ１５０ａ、変調器１５０ｂ、第一バッファ１５０ｃ、書き込み方式コントローラ１５０ｄ、及びレーザー電力コントローラ１５０ｅの動作は当業者に周知のため、ここで説明を省略する。なお、当業者に周知のとおり、ＯＰＵ１１４で第一光ディスク１２２と第二光ディスク１２４からデータ信号ＳＯを読み出すとき、データ信号ＳＯはＲＦ増幅器１６０ａ、復調器１６０ｂ、デコーダ１６０ｃ、第二バッファ１６０ｄを通過して出力データＤｏｕｔとして出力される。この動作についてはここで説明を省略する。
【００１４】
本発明による光ディスク装置１００を理解するためには、下記実施例を参照する。第一光ディスク１２２と第二光ディスク１２４は例えばＤＶＤであって（以下は第一光ディスク１２２と第二光ディスク１２４をそれぞれ第一ＤＶＤと第二ＤＶＤと称する）、第一ホールドプレート１０８と第二ホールドプレート１１０にそれぞれ乗せられている。注意すべきは、光ディスク装置１００がサポートする光ディスク（例えばＶＣＤ）であれば、いずれも第一ホールドプレート１０８と第二ホールドプレート１１０に載せることができる。また、第一ホールドプレート１０８と第二ホールドプレート１１０に載せる光ディスクも同じ形式のものに限らない。
【００１５】
本発明による光ディスク装置１００では、第一スピンドルモーター１０１と第二スピンドルモーター１０２はそれぞれ第一スピンドルドライバー１２６と第二スピンドルドライバー１２８により駆動される。したがって、スレッドモーター１１６でＯＰＵ１１４をスレッド案内棒１１２の長さＬ１方向に沿って移動して、第一ＤＶＤ１２２と第二ＤＶＤ１２４の全領域にアクセスすることができる。スレッドモーター１１６はスレッドドライバー１３０により駆動される。図１に示すように、第一スピンドルドライバー１２６と、第二スピンドルドライバー１２８と、スレッドドライバー１３０は周知のメカニズムでサーボコントローラ１４０により制御される。
【００１６】
図２を参照する。図２は図１に示す光ディスク装置１００を動作させる方法のフローチャートである。該方法は下記のステップからなる。
【００１７】
ステップ２０２：第一ＤＶＤ１２２と第二ＤＶＤ１２４が第一ホールドプレート１０８と第二ホールドプレート１１０にそれぞれ載せられたトレイ１２０を光ディスク装置１００にロードする。
ステップ２０４：第一ＤＶＤ１２２を起動し、第一ＤＶＤ１２２の第一インターフェイスとサーボ関係パラメータをバッファにリストア（保存）する。
ステップ２０６：第一スピンドルドライバー１２６に対してＤＭＯホールド動作を実行する。
ステップ２０８：第二ＤＶＤ１２４を起動し、第二ＤＶＤ１２４の第二インターフェイスとサーボ関係パラメータをバッファにリストア（保存）する。
ステップ２１０：第二スピンドルドライバー１２８に対してＤＭＯホールド動作を実行する。
ステップ２１２：光ディスク装置１００にロードされた第一ＤＶＤ１２２または第二ＤＶＤ１２４にアクセスするようにＯＰＵ１１４を選択的に移動する。
【００１８】
上記ステップ２０４〜ステップ２１０では、光ディスク装置１００の初期化のために起動動作を実行する。トレイ１２０が移動して第一ＤＶＤ１２２と第二ＤＶＤ１２４をそれぞれ積載した第一ホールドプレート１０８と第二ホールドプレート１１０を光ディスク装置１００にロードするとき、サーボコントローラ１４０は第一スピンドルドライバー１２６を起動し、第一スピンドルドライバー１２６の第一インターフェイスとサーボ関係パラメータをサーボコントローラ１４０にリストアし、第一スピンドルドライバー１２６に対してＤＭＯホールド動作または開ループＤＡＣ動作を実行する。その後、サーボコントローラ１４０は第二スピンドルドライバー１２８を起動し、第二スピンドルドライバー１２８の第二インターフェイスとサーボ関係パラメータをサーボコントローラ１４０にリストアし、第二スピンドルドライバー１２８に対してＤＭＯホールド動作または開ループＤＡＣ動作を実行して起動動作を終了する。
【００１９】
初期化（起動動作）の完了後、ステップ２１２に示すように、光ディスク装置１００はＯＰＵ１１４を第一ＤＶＤ１２２と第二ＤＶＤ１２４の間に移動し、第一スピンドルドライバー１２６と第二スピンドルドライバー１２８を切り替えることで、種々のデータアクセス動作を実行する。ステップ２１２において光ディスク装置１００には通常、シングルワークとマルチワークという２種類のアクセス動作がある。
【００２０】
図３を参照する。図３は図１に示す光ディスク装置１００で行われるシングルワーク動作のタイミング図である。図３に示すように、光ディスク装置１００は期間Ｔ１に第二ＤＶＤ１２４を読み出し、期間Ｔ２に第一ＤＶＤ１２２を読み出す。言い換えれば、期間Ｔ１とＴ２の間に、サーボコントローラ１４０はまず第二スピンドルドライバー１２８を制御して期間Ｔ１に第二スピンドルモーター１０２を駆動し、それと同時にＯＰＵ１１４は第二ＤＶＤ１２４を連続的に読み出す。期間Ｔ１の終了時に、第二ＤＶＤ１２４の読み出し動作が終了した後、ＯＰＵ１１４はスレッドモーター１１６により第一ＤＶＤ１２２に移動され第一ＤＶＤ１２２にアクセスし、サーボコントローラ１４０は第二スピンドルドライバー１２８から第一スピンドルドライバー１２６に切り替わって期間Ｔ２に第一スピンドルモーター１０１を駆動し、それと同時にＯＰＵ１１４は期間Ｔ２が終了するまで第一ＤＶＤ１２２を連続的に読み出す。
【００２１】
図４を参照する。図４は第一ＤＶＤ１２２と第二ＤＶＤ１２４の間にデータアクセスを切り替える方法のフローチャートである。第一ＤＶＤ１２２と第二ＤＶＤ１２４の間の切り替えは以下のとおりに行われる。
【００２２】
ステップ４００：光ディスク（例えば第二ＤＶＤ１２４）にアクセスする。
ステップ４０２：上記光ディスク（例えば第二ＤＶＤ１２４）の動作中に目的光ディスク（例えば第一ＤＶＤ１２２）へのアクセスを求めるインターフェイス指令を受信する。
ステップ４０４：現在動作中のスピンドルドライバー（例えば第二スピンドルドライバー１２８）に対してＤＭＯホールド動作または開ループＤＡＣ動作を実行する。
ステップ４０６：目的スピンドルドライバー（例えば第一スピンドルドライバー１２６）に切り替える。
ステップ４０８：バッファからサーボコントローラ１４０へ目的光ディスク（例えば第一ＤＶＤ１２２）のインターフェイスとサーボ関係パラメータをリロードする。
ステップ４１０：リロードされたインターフェイスとサーボ関係パラメータに基づいて目的光ディスク（例えば第一ＤＶＤ１２２）を操作する。
ステップ４１２：目的光ディスク（例えば第一ＤＶＤ１２２）にアクセスする。
【００２３】
注意すべきは、本発明による光ディスク装置１００のシングルワーク動作は読み出し動作の組み合わせに限らず、その他読み出し／書き込み動作の組み合わせもすべて本発明の範囲に属する。図３に示すように、期間Ｔ２、Ｔ３の間には読み出し／書き込み動作の組み合わせが起動され、ＯＰＵ１１４は第一ＤＶＤ１２２を読み出してから第二ＤＶＤ１２４を書き込む。期間Ｔ３、Ｔ４の間には書き込み動作の組み合わせが起動され、ＯＰＵ１１４は第二ＤＶＤ１２４を書き込んでから第一ＤＶＤ１２２を書き込む。期間Ｔ４、Ｔ５の間には書き込み／読み出し動作の組み合わせが起動され、ＯＰＵ１１４は第一ＤＶＤ１２２を書き込んでから第二ＤＶＤ１２４を読み出す。
【００２４】
図５を参照する。図５は図１に示す光ディスク装置１００で行われるマルチワーク動作のタイミング図である。図５に示すように、光ディスク装置１００は図４に示す方法で第一ＤＶＤ１２２と第二ＤＶＤ１２４の間に切り替わることによって、期間Ｔ１’に第一ＤＶＤ１２２と第二ＤＶＤ１２４を読み出す。同じく、注意すべきは、本発明による光ディスク装置１００のマルチワーク動作は読み出し動作の組み合わせに限らず、その他読み出し／書き込み動作の組み合わせもすべて本発明の範囲に属する。図５に示すように、期間Ｔ２’には書き込み動作の組み合わせが起動され、ＯＰＵ１１４は第一ＤＶＤ１２２と第二ＤＶＤ１２４を交互に書き込む。期間Ｔ３’には書き込み／読み出し動作の組み合わせが起動され、ＯＰＵ１１４は第一ＤＶＤ１２２の書き込みと第二ＤＶＤ１２４の読み出しを交互に実行する。期間Ｔ４’には読み出し／書き込み動作の組み合わせが起動され、ＯＰＵ１１４は第一ＤＶＤ１２２の読み出しと第二ＤＶＤ１２４の書き込みを交互に実行する。
【００２５】
上掲実施例では、シングルＯＰＵ１１４はスレッド案内棒１１２に沿って移動して光ディスク１２２、１２４にアクセスする。もっとも、光ディスク装置にロードする光ディスクの枚数は２枚に限らない。例えば別の実施例として、シングルＯＰＵがスレッド案内棒に沿って移動して複数の光ディスク（例えば３枚）にアクセスすることも、本発明の範囲に属する。
【実施例２】
【００２６】
図６を参照する。図６は本発明の実施例２による光ディスク装置６００を表す説明図である。光ディスク装置６００は、第一ホールドプレート６０８と、第二ホールドプレート６１０と、スレッド案内棒６１２と、ＯＰＵ６１４と、スレッドモーター６１６と、トレイモーター６１８１と、主スピンドルモーター６０４、第一伝動機構６０１１、第二伝動機構６０２１、第一伝動機構６０１１と第二伝動機構６０２１に結合された第三伝動機構６０３１を備えた回転モジュール６０ａとを含む。
【００２７】
図７を参照する。図７は図６に示す光ディスク装置６００の側面図である。本実施例では、主スピンドルモーター６０４は第三伝動機構６０３１に結合されて第三伝動機構６０３１を回転する。その後、第三伝動機構６０３１で第一伝動機構６０１１と第二伝動機構６０２１を駆動する。したがって、第一ＤＶＤ６２２と第二ＤＶＤ６２４はそれぞれ第一伝動機構６０１１と第二伝動機構６０２１に回転される。第一ホールドプレート６０８と第二ホールドプレート６１０は第一ＤＶＤ６２２と第二ＤＶＤをそれぞれ積載する。スレッド案内棒６１２は第一ホールドプレート６０８と第二ホールドプレート６１０との間の直線に沿って両者の間に設けられる。ＯＰＵ６１４は第一ＤＶＤ６２２と第二ＤＶＤ６２４に選択的にアクセスする。スレッドモーター６１６はスレッド案内棒６１２に移動可能に設けられ、ＯＰＵ６１４をロードしてスレッド案内棒６１２に沿って駆動し、ホールドプレート６０８、６１０に載せられた第一ＤＶＤ６２２と第二ＤＶＤ６２４にアクセスする。トレイモーター６１８１はトレイ６２０に結合され、トレイ６２０を移動して第一ＤＶＤ６２２と第二ＤＶＤ６２４を光ディスク装置６００にロードするか、第一ＤＶＤ６２２と第二ＤＶＤ６２４を光ディスク装置６００からイジェクトする。本実施例では、トレイモーター６１８１は図６に示すようにトレイドライバー６１８により制御される。図に示すように、ホールドプレート６０８、６１０はトレイ６２０の上に置かれている。なお、光ディスク装置６００は更に、主スピンドルモーター６０４に結合され、スレッドモーター６１６でＯＰＵ６１４を第一ＤＶＤ６２２から第二ＤＶＤ６２４に移動する前に、ＤＭＯホールド動作または開ループＤＡＣ動作を実行して第三伝動機構６０３１で第一ＤＶＤ６２２を回転し、またはスレッドモーター６１６でＯＰＵ６１４を第二ＤＶＤ６２４から第一ＤＶＤ６２２に移動する前に、ＤＭＯホールド動作または開ループＤＡＣ動作を実行して第三伝動機構６０３１で第二ＤＶＤ６２４を回転ことを可能にするサーボコントローラ６４０を含む。サーボコントローラ６４０はドライバー読み出し／書き込み制御論理６４０ａ、スピンドル制御論理６４０ｂ、スピンドルコントローラ６４０ｃ、スレッド制御論理６４０ｄ、及びスレッド／アクチュエータコントローラ６４０ｅを含む。なお、サーボコントローラ６４０はインターフェイス６４０ｆに結合され、コンピュータシステムから制御信号ＳＣを受信する。ドライバー読み出し／書き込み制御論理６４０ａは制御信号ＳＣを受信して、第一ＤＶＤ６２２と第二ＤＶＤ６２４の読み出し／書き込み動作を定める。スピンドル制御論理６４０ｂはドライバー読み出し／書き込み制御論理６４０ａに結合され、第三伝送機構６０３１を制御するようにスピンドルコントローラ６４０ｃに指示する。一方、スレッド制御論理６４０ｄもドライバー読み出し／書き込み制御論理６４０ａに結合され、スレッドモーター６１６を制御するようにスレッド／アクチュエータコントローラ６４０ｅに指示する。注意すべきは、入力データはＤＡ、ＤＢの２種類に分けられ、第一種類のデータＤＡは第一光ディスク６２２と第二光ディスク６２４に書き込む前に符号化する必要があり、第二種類のデータＤＢはその必要がない。したがって、図１を再び参照する。第一種類のデータＤＡがエンコーダ６５０ａと変調器６５０ｂで符号化されるのに対して、第二種類のデータＤＢは第一バッファ６５０ｃに直接入力される。その後、第一種類のデータＤＡと第二種類のデータＤＢを書き込み方式コントローラ６５０ｄとレーザー電力コントローラ６５０ｅで第一光ディスク６２２と第二光ディスク６２４に書き込む。注意すべきは、エンコーダ６５０ａ、変調器６５０ｂ、第一バッファ６５０ｃ、書き込み方式コントローラ６５０ｄ、及びレーザー電力コントローラ６５０ｅの動作は当業者に周知のため、ここで説明を省略する。なお、当業者に周知のとおり、ＯＰＵ６１４で第一光ディスク６２２と第二光ディスク６２４からデータ信号ＳＯを読み出すとき、データ信号ＳＯはＲＦ増幅器６６０ａ、復調器６６０ｂ、デコーダ６６０ｃ、第二バッファ６６０ｄを通過して出力データＤｏｕｔとして出力される。この動作についてはここで説明を省略する。注意すべきは、図１に示す実施例と同じように、サーボコントローラ６４０は図６に示すようにスピンドルドライバー６２６でスピンドルモーター６０４を制御する。
【００２８】
図８を参照する。図８は図６に示す光ディスク装置６００を動作させる方法のフローチャートである。該方法は下記のステップからなる。
【００２９】
ステップ８０２：第一ＤＶＤ６２２と第二ＤＶＤ６２４が第一ホールドプレート６０８と第二ホールドプレート６１０に載せられたトレイ６２０を光ディスク装置６００にロードする。
ステップ８０４：第一ＤＶＤ６２２を起動し、第一ＤＶＤ６２２の第一インターフェイスとサーボ関係パラメータをバッファにリストア（保存）する。
ステップ８０６：第二ＤＶＤ６２４を起動し、第二ＤＶＤ６２４の第二インターフェイスとサーボ関係パラメータをバッファにリストア（保存）する。
ステップ８０８：光ディスク装置６００にロードされた第一ＤＶＤ６２２または第二ＤＶＤ６２４にアクセスするようにＯＰＵ６１４を選択的に移動する。
【００３０】
上記ステップ８０２〜ステップ８０６では、光ディスク装置６００の初期化のために起動動作を実行する。トレイ６２０が移動して第一ＤＶＤ６２２と第二ＤＶＤ６２４をそれぞれ積載した第一ホールドプレート６０８と第二ホールドプレート６１０を光ディスク装置６００にロードするとき、サーボコントローラ６４０は第一ＤＶＤ６２２を起動し、第一ＤＶＤ６２２に対応する第一インターフェイスとサーボ関係パラメータをサーボコントローラ６４０にリストアする。その後、サーボコントローラ６４０は第二ＤＶＤ６２４を起動し、第二ＤＶＤ６２４に対応する第二インターフェイスとサーボ関係パラメータをサーボコントローラ６４０にリストアして起動動作を終了する。
【００３１】
図１に示す実施例と同じように、光ディスク装置６００はＯＰＵ６１４を第一ＤＶＤ６２２と第二ＤＶＤ６２４の間に移動して種々のデータアクセス動作を実行し、すなわち上掲シングルワーク動作とマルチワーク動作を実行する。シングルワーク動作とマルチワーク動作は図１、図３、図５で既に説明されているので、ここで説明を省略する。
【００３２】
図９を参照する。図９は図６に示す第一ＤＶＤ６２２と第二ＤＶＤ６２４の間のデータアクセスを切り替える方法のフローチャートである。第一ＤＶＤ６２２と第二ＤＶＤ６２４の間の切り替えは以下のとおりに行われる。
【００３３】
ステップ９００：光ディスク（例えば第二ＤＶＤ６２４）にアクセスする。
ステップ９０２：上記光ディスク（例えば第二ＤＶＤ６２４）の動作中に目的光ディスク（例えば第一ＤＶＤ６２２）へのアクセスを求めるインターフェイス指令を受信する。
ステップ９０４：目的光ディスク（例えば第一ＤＶＤ６２２）に切り替える。
ステップ９０６：バッファからサーボコントローラ６４０へ目的光ディスク（例えば第一ＤＶＤ６２２）のインターフェイスとサーボ関係パラメータをリロードする。
ステップ９０８：リロードされたインターフェイスとサーボ関係パラメータに基づいて目的光ディスク（例えば第一ＤＶＤ６２２）を操作する。
ステップ９１０：目的光ディスク（例えば第一ＤＶＤ６２２）にアクセスする。
【００３４】
注意すべきは、上記ステップ９００からステップ９１０に示す第一ＤＶＤ６２２と第二ＤＶＤ６２４の切替動作は前記ステップ４００からステップ４１２に示す切替動作と類似するので、詳しい説明はここで省略する。
【００３５】
上掲実施例では、光ディスク装置にロードする１枚の光ディスク（例えば第二光ディスク）は例えばデータ大量保存用の二層書き換え型ＤＶＤ、ＤＶＤ−ＲＡＭ、二層書き換え型ＢＤ（ブルーレイディスク）である。一般に、二層書き換え型ＤＶＤの書き込み許容回数は１０００回であり、ＤＶＤ−ＲＡＭと二層書き換え型ＢＤの書き込み許容回数は１０００回以上である。したがって、光ディスク装置にロードする１枚の光ディスクを永久記憶素子として利用する場合（例えば、光ディスク装置にロードする二層書き換え型ＤＶＤ、ＤＶＤ−ＲＡＭ、二層書き換え型ＢＤを光ディスク装置から取り出さない場合）では、ＯＰＣ（最適電力校正）データまたは他の校正データなどの関連ディスクパラメータは、光ディスク装置の製造時に不揮発性記憶装置（例えばフラッシュメモリ）に保存することができる。この場合、永久記憶装置として利用される光ディスクに対して起動校正とＯＰＣを実行しなくてもよく、光ディスクは従来のＨＤＤ（ハードディスクドライブ）と同じようにデータバッファとして利用することができる。例えば、二層書き換え型ＢＤは５０ＧＢの容量を有し、１０．６枚（５０ＧＢ／４．７ＧＢ）のＤＶＤの内容を収録することができる。また、他のデザインとしては、光ディスクのデータ記憶領域の一部をシステムアプリケーションに割り当てることができる。例えば、光ディスクのデータ記憶領域の一部で従来のＥＥＰＲＯＭに取って代わってＯＰＣヒストリー、自動書き込み方式テーブル、バックアップ電力曲線などを記憶する。
【００３６】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００３７】
本発明は光ディスク装置に適用されるので、産業上利用可能である。
【図面の簡単な説明】
【００３８】
【図１】本発明の実施例１による光ディスク装置を表す説明図である。
【図２】図１に示す光ディスク装置を動作させる方法のフローチャートである。
【図３】図１に示す光ディスク装置で行われるシングルワーク動作のタイミング図である。
【図４】第一ＤＶＤと第二ＤＶＤの間でデータアクセスを切り替える方法のフローチャートである。
【図５】図１に示す光ディスク装置で行われるマルチワーク動作のタイミング図である。
【図６】本発明の実施例２による光ディスク装置を表す説明図である。
【図７】図６に示す光ディスク装置の側面図である。
【図８】図６に示す光ディスク装置を動作させる方法のフローチャートである。
【図９】図６に示す第一ＤＶＤと第二ＤＶＤの間でデータアクセスを切り替える方法のフローチャートである。
【符号の説明】
【００３９】
１０ａ、６０ａ    回転モジュール
１００、６００    光ディスク装置
１０１            第一スピンドルモーター
１０２            第二スピンドルモーター
１０８、６０８    第一ホールドプレート
１１０、６１０    第二ホールドプレート
１１２、６１２    スレッド案内棒
１１４、６１４    ＯＰＵ
１１６、６１６    スレッドモーター
１２０、６２０    トレイ
１２２、６２２    第一光ディスク
１２４、６２４    第二光ディスク
１２６            第一スピンドルドライバー
１２８            第二スピンドルドライバー
１１８、６１８    トレイドライバー
１３０、６３０    スレッドドライバー
１４０、６４０    サーボコントローラ
１４０ａ、６０４ａ    ドライバー読み出し／書き込み制御論理
１４０ｂ、６４０ｂ    スピンドル制御論理
１４０ｃ、６４０ｃ    スピンドルコントローラ
１４０ｄ、６４０ｄ    スレッド制御論理
１４０ｅ、６０４ｅ    スレッド／アクチュエータコントローラ
１４０ｆ、６４０ｆ    インターフェイス
１５０ａ、６５０ａ    エンコーダ
１５０ｂ、６５０ｂ    変調器
１５０ｃ、６５０ｃ    第一バッファ
１５０ｄ、６５０ｄ    書き込み方式コントローラ
１５０ｅ、６５０ｅ    レーザー電力コントローラ
１６０ａ、６６０ａ    ＲＦ増幅器
１６０ｂ、６６０ｂ    復調器
１６０ｃ、６６０ｃ    デコーダ
１６０ｄ、６６０ｄ    第二バッファ
６０４                主スピンドルモーター
６２６                スピンドルドライバー
１１８１、６１８１    トレイモーター
６０１１              第一伝動機構
６０２１              第二伝動機構
６０３１              第三伝動機構
ＳＣ                  制御信号
ＤＡ、ＤＢ            データ
Ｄｏｕｔ              出力データ
ＳＯ                  データ信号
【図１】
2009004070.tif 000003
【図２】
2009004070.tif 000004
【図３】
2009004070.tif 000005
【図４】
2009004070.tif 000006
【図５】
2009004070.tif 000007
【図６】
2009004070.tif 000008
【図７】
2009004070.tif 000009
【図８】
2009004070.tif 000010
【図９】
2009004070.tif 000011